(57)【特許請求の範囲】
【請求項１】
流動床式焼却炉への廃棄物供給のために炉壁に設けられたシュートの入口側と、該シュートを介して炉内へ廃棄物を供給するスクリュー式給じん機の出口側との間に、上記スクリュー式給じん機の出口側に取り付けた入口室と、上記シュートの入口側に取り付けた出口室と、一端を上記入口室に他端を上記出口室にそれぞれシール材を介在させた回転継手で回転自在に接続させた回転ドラムとからなるドラム式搬送機を介在させ、上記スクリュー式給じん機から供給された廃棄物がドラム内に移されると、該廃棄物を回転ドラム内に滞留させながら搬送するようにした上記ドラム式搬送機の出口室からシュートの入口側へ廃棄物を連続的に落下させるようにしたことを特徴とする流動床式焼却炉の給じん装置。
【発明の詳細な説明】
【０００１】
【発明の属する技術分野】
本発明は都市ごみ等の廃棄物を流動床式焼却炉内へ供給するための給じん装置に関するものである。
【０００２】
【従来の技術】
都市ごみ等の廃棄物を焼却処理する流動床式焼却炉１は、図２に概略を示す如く、上部に廃棄物を投入するためのシュート２を設けた炉体１ａ内の下部に、流動媒体としての砂４を充填した流動層３を設け、且つ該流動層３に複数の散気管５を水平状態に配して、該散気管５内を通し流動層３内に流動化空気を導入させることにより流動層３を流動化させ、流動層３中で廃棄物を焼却させるようにしてあるのが一般的である。又、この流動床式焼却炉１内へ上記シュート２を通して廃棄物６を供給させるようにする給じん機７としては、流動床式焼却炉１での燃焼において、シール性を保ちながら連続的に廃棄物６を供給する必要があることから、一般的にケーシング７ａ内でスクリュー７ｂを回転させることにより廃棄物６を搬送させるようにする、いわゆるスクリュー式給じん機が採用されており、図示しない搬送手段で投入ホッパ８内へ送られて来た廃棄物６をスクリュー式給じん機７で送りながら流動床式焼却炉１内へシュート２を通して投入させるようにしてある。９は頂部に設けた排ガス出口、１０は底部に設けた不燃物排出機、１１は不燃物とともに落下して排出されて不燃物から分離された流動砂４を流動床式焼却炉１内へ戻すようにする砂循環コンベアである。
【０００３】
流動床式焼却炉１では、炉内に投入された廃棄物が急激に短時間で燃焼するため、燃焼を安定させるためには、炉内への廃棄物６の投入を連続的に且つ定量的に行わせることが重要である。
【０００４】
【発明が解決しようとする課題】
ところが、都市ごみ等の廃棄物６は、各種大きさの異なる袋に詰められて廃棄されており、給じん機７で流動床式焼却炉１内へ投入させる都市ごみ等の廃棄物６は、袋のままであるため、個々の形状が大きい上に、圧縮性や再膨張性があり、更に、ごみ同士がからみ合ったりしているのが実状である。そのため、従来のスクリュー式給じん機７でかかる都市ごみ等の廃棄物６を連続的に供給する場合は、長時間的に見れば定量性は確保されているように見えるが、短時間で見ると、個々のごみの形状の大きさ等により供給量のばらつきが生じ、供給量の脈動が避けられず、時には、流動床式焼却炉１内へのごみ供給が一時的に中断したり、逆に多量に落ちる、いわゆる、どか落ちが起きてしまう。
【０００５】
このような条件では、炉側の制御可能範囲を越える運転条件となってしまうため、本来は完全燃焼性が高い流動床式焼却炉１でありながら瞬時的な温度低下や不完全燃焼が発生して炉の安定燃焼が阻害され、結果的にダイオキシンの発生を招く要因ともなっている。
【０００６】
特に、小型炉では、供給されるごみの大きさが大型炉に供給されるごみの大きさと変りはないことから、スクリュー式給じん機７自体も供給量に見合ったスクリューの小型化ができず、大型炉に適用されているものとほとんど同じ規模のものが使用されるため、大型のスクリューを低速回転で使用せざるを得なくなり、ごみの連続的な供給がますますできなくなり、上述した如き炉の安定燃焼性を阻害してダイオキシン発生を招くというようなおそれがより顕著になる、という問題がある。
【０００７】
そこで、本発明は、大型炉、小型炉を問わず、都市ごみ等の廃棄物の炉内への供給を、短時間でみても連続的で定量的に行えるようにして、燃焼の安定性を確保してダイオキシンの発生を抑制できるようにしようとするものである。
【０００８】
【課題を解決するための手段】
本発明は、上記課題を解決するために、流動床式焼却炉への廃棄物供給のために炉壁に設けられたシュートの入口側と、該シュートを介して炉内へ廃棄物を供給するスクリュー式給じん機の出口側との間に、上記スクリュー式給じん機の出口側に取り付けた入口室と、上記シュートの入口側に取り付けた出口室と、一端を上記入口室に他端を上記出口室にそれぞれシール材を介在させた回転継手で回転自在に接続させた回転ドラムとからなるドラム式搬送機を介在させ、上記スクリュー式給じん機から供給された廃棄物がドラム内に移されると、該廃棄物を回転ドラム内に滞留させながら搬送するようにした上記ドラム式搬送機の出口室からシュートの入口側へ廃棄物を連続的に落下させるようにした構成とする。
【０００９】
スクリュー式給じん機から間欠的に送られた廃棄物は、ドラム式搬送機の回転するドラム内で滞留されながら搬送されるので、平均化される。これによりシュートから流動床式焼却炉内への廃棄物の供給は、連続的且つ定量的に行われることになり、炉内での燃焼の安定性が得られる。
【００１０】
【発明の実施の形態】
以下、本発明の実施の形態を図面を参照して説明する。
【００１１】
図１は本発明の実施の一形態を示すもので、図２に示した流動床式焼却炉１と同様に、炉体１ａ上部の側壁部に廃棄物投入用のシュート２を設け、且つ炉内下部に砂４を充填してなる流動層３を設け、該流動層３に散気管５を配設して、散気管５から炉内へ吹き込まれる空気により流動層３が流動化されてごみの燃焼が行われるようにしてあり、且つ上記スクリュー式給じん機７で送られる都市ごみ等の廃棄物６をシュート２より炉内へ落下させて供給するようにしてある構成において、横方向に円形の入口１４を設け且つ下端に出口１５を設けて上記シュート２の上端に出口１５をフランジ１６で接合できるようにしてある出口室１３と、スクリュー式給じん機７のケーシング７ａ出口側端部の外周に嵌めて固定するようにし且つ上記出口室１３の入口１４と同じ径の出口１８を設けた円筒状の入口室１７と、一端を上記出口室１３の入口１４に回転自在に接続するようにすると共に他端を上記入口室１７の出口１８に回転自在に接続させるようにする回転ドラム１９と、からなるドラム式搬送機１２を構成し、該ドラム式搬送機１２を、スクリュー式給じん機７とシュート２との間に介在させ、スクリュー式給じん機７から出された都市ごみ等の廃棄物６をドラム式搬送機１２の回転ドラム１９内に移し、該回転ドラム１９を外部からの動力で回転させながら廃棄物６を出口側へと移動させて出口室１３よりシュート２内へ落下投入させるようにする。
【００１２】
そのために、ドラム式搬送機１２は、回転ドラム１９を入口側よりも出口側が低くなるように、約３度位傾斜させて配置して、入口側は入口室１７の出口１８にシール材を介在させた回転継手２０で接続すると共に出口側を出口室１３の入口１４に同様にシール材を介在させた回転継手２０で接続し、且つ回転ドラム１９の所要個所の外周面にリングギヤ又はタイヤ等２１を取り付けて、モータ２２の出力軸に取り付けたピニオン又はローラ等２３を噛合又は接触させ、モータ２２により回転ドラム１９を低速で回転させるようにする。
【００１３】
更に、シュート２の途中位置に、常時は閉じる方向へ付勢されていて、廃棄物６の落下荷重で下方へ開くようにしてあるシールダンパ２４を設置する。
【００１４】
スクリュー式給じん機７の投入ホッパ８に、都市ごみ等の廃棄物６が袋に入れられたまま大小異なる大きさで投入されると、スクリュー７ｂの回転によりホッパ８からケーシング７ａ内へ廃棄物６は押し込まれて出口側へと搬送される。
【００１５】
スクリュー式給じん機７で供給される廃棄物６は、ケーシング内を押されて搬送されるので、連続性があるが、廃棄物６は上述したように大きさもばらばらで圧縮され絡みあっているため、廃棄物６は間欠的にスクリュー式給じん機７を出ることになり、供給量が脈動することになるが、本発明では、スクリュー式給じん機７の出口側にドラム式搬送機１２を置いているので、スクリュー式給じん機７による供給量の脈動を、ドラム式搬送機１２内でなくして供給量の平均化をすることができる。すなわち、入口室１７と出口室１３とその間の回転ドラム１９とからなるドラム式搬送機１２は、回転ドラム１９を出口側が若干低くなるように傾斜させて回転させながら徐々に出口側へと廃棄物６を搬送させるようにしてあるので、ドラム式搬送機１２の入口室１７から回転ドラム１９内に移された廃棄物６は、圧縮から解放され該回転ドラム１９の回転で円周方向へ移動されて撹拌されながら徐々に出口側へと送られることにより、スクリュー式給じん機７による供給量の脈動が平均化されて行き、回転ドラム１９から出口室１３に移された廃棄物６は連続的にほぼ定量づつシュート２へ落されることになる。
【００１６】
上記において、ドラム式搬送機１２の回転ドラム１９は、スクリュー式給じん機７から間欠的に供給される廃棄物６の供給量の脈動を吸収するだけの充分な長さを有していればよく、廃棄物の滞留時間から見れば、約５分程度の滞留時間を確保するだけでよい。
【００１７】
なお、本発明は上記実施の形態のみに限定されるものではなく、たとえば、大型炉のごみ供給においては、ドラム式搬送機１２のドラム１９の内部に複数本に分割したドラムを平行に配して、各ドラムに分割してごみを搬送させるようにしてもよい。
【００１８】
【発明の効果】
以上述べた如く、本発明の流動床式焼却炉の給じん装置によれば、流動床式焼却炉への廃棄物供給のために炉壁に設けられたシュートの入口側と、該シュートを介して炉内へ廃棄物を供給するスクリュー式給じん機の出口側との間に、上記スクリュー式給じん機の出口側に取り付けた入口室と、上記シュートの入口側に取り付けた出口室と、一端を上記入口室に他端を上記出口室にそれぞれシール材を介在させた回転継手で回転自在に接続させた回転ドラムとからなるドラム式搬送機を介在させ、上記スクリュー式給じん機から供給された廃棄物がドラム内に移されると、該廃棄物を回転ドラム内に滞留させながら搬送するようにした上記ドラム式搬送機の出口室からシュートの入口側へ廃棄物を連続的に落下させるようにした構成としてあるので、次の如き優れた効果を奏し得る。
(1) スクリュー式給じん機による供給量の脈動を、ドラム式搬送機内で平均化し、スクリュー式給じん機で炉内へ供給する場合に発生し易い瞬時的な供給中断や一時的に多量に落ちるという現象があってもドラム内で平均化されて炉内への直接的な影響を及ぼすことがなくなる。
(2) ドラム式搬送機の回転ドラムを回転させながら廃棄物を搬送できるので、廃棄物をシュートへ連続的に且つ定量的に落して供給ができると共に、ドラム内の撹拌によって均質化が期待できる。
(3) 上記(2) により炉内で制御不能になるような状態を皆無にすることができて、燃焼の安定化が確保され、ダイオキシンの発生を抑制できる。
(4) プラント全体的には変動幅が小さくなるため、炉の大きさや通風、排ガス処理系統の機器に過剰な余裕をもたせる必要がなくなる。
(5) 小型炉にスクリュー式給じん機を使用する場合の問題をなくすことができる。
【図面の簡単な説明】
【図１】本発明の流動床式焼却炉の給じん装置の概要を示す概略側面図である。
【図２】従来の流動床式焼却炉の給じん装置の概略側面図である。
【符号の説明】
１  流動床式焼却炉
２  シュート
３  流動層
５  散気管
６  廃棄物
７  スクリュー式給じん機
１２  ドラム式搬送機
１３  出口室
１７  入口室
１９  回転ドラム
２０  回転継手
【図１】
0004019494.tif 000002
【図２】
0004019494.tif 000003